(57)【要約】【課題】電気的特性の良好な衛星放送受信用チューナを提供する。【解決手段】衛星放送受信用チューナにおいて、ＲＦ入力端子１に入力されたＲＦ信号を増幅する増幅器４の後段に、増幅器４から出力される信号のレベルを所定の周波数範囲で平坦化する平坦化回路５を設ける。これにより、復調部７に入力される信号のレベルが所定の周波数範囲で平坦化され、電気的特性が良好になる。【選択図】      図１
2004236046.tif 000002
【特許請求の範囲】
【請求項１】
ＲＦ信号が入力されるＲＦ入力端子と、
前記ＲＦ入力端子に入力されたＲＦ信号を増幅する増幅器と、
前記増幅器から出力される信号のレベルを所定の周波数範囲で平坦化する平坦化回路と、
前記平坦化回路から出力される信号を入力する復調部と、
を備えることを特徴とする衛星放送受信用チューナ。
【請求項２】
前記平坦化回路と前記復調部との間に分配器を設ける請求項１に記載の衛星放送受信用チューナ。
【請求項３】
ＲＦ信号が入力されるＲＦ入力端子と、
前記ＲＦ入力端子に入力されたＲＦ信号を増幅する増幅器と、
前記増幅器から出力する信号を分配する分配器と、
前記分配器から出力される第一出力信号を入力する復調部と、
前記分配器から出力される第二出力信号のレベルを所定の周波数範囲で平坦化する平坦化回路と、
前記平坦化回路から出力される信号を外部出力するＲＦ出力端子と、
を備えることを特徴とする衛星放送受信用チューナ。
【請求項４】
前記平坦化回路の利得周波数特性が可変する請求項１〜３のいずれかに記載の衛星放送受信用チューナ。
【請求項５】
前記平坦化回路がバンドパスフィルタである請求項１〜４のいずれかに記載の衛星放送受信用チューナ。
【発明の詳細な説明】
【０００１】
【発明の属する技術分野】
本発明は、衛星放送受信用チューナに関するものである。
【０００２】
【従来の技術】
従来の衛星放送受信用チューナの一構成例を図７に示す。図７の衛星放送受信用チューナは、ＲＦ（Ｒａｄｉｏ  Ｆｒｅｑｕｅｎｃｙ）入力端子１と、コンデンサ２と、ハイパスフィルタ３と、増幅器４と、自動利得制御器６と、Ｉ／Ｑ直交検波器７と、Ｉ出力端子８と、Ｑ出力端子９とによって構成される。
【０００３】
衛星より送信されるＲＦ信号が図示しないアンテナで受信される。そして、アンテナで受信されたＲＦ信号は、図示しないＬＮＢ（Ｌｏｗ  Ｎｏｉｓｅ  Ｂｌｏｃｋ  ｄｏｗｎ  ｃｏｎｖｅｒｔｅｒ）で適正レベルまで増幅され且つダウンコンバートされたのち、ＲＦ入力端子１に送出される。
【０００４】
ＲＦ入力端子１に入力されたＲＦ信号は、コンデンサ２を経由して、ハイパスフィルタ３で帯域制限され、増幅器４を経由して、自動利得制御器６でレベル調整され、Ｉ／Ｑ直交検波器７によって互いに９０度の位相差を持つＩベースバンド信号とＱベースバンド信号とに変換される。そして、Ｉベースバンド信号がＩ出力端子８から出力され、Ｑベースバンド信号がＱ出力端子９から出力される。
【０００５】
【特許文献１】
特開平５−２２７１２２号公報
【０００６】
【発明が解決しようとする課題】
ＲＦ入力端子１に入力されるＲＦ信号のレベルに周波数による偏差が有る場合、増幅器４の利得の周波数による偏差と相重なり、周波数によるレベル偏差の大きいＲＦ信号がＩ／Ｑ直交検波器７に入力されることになり相互変調妨害耐性等の劣化により電気的特性が悪くなることがあった。
【０００７】
また、衛星放送受信用チューナのＲＦ入力端子に入力したＲＦ信号を増幅し、ＲＦ分配出力して別の衛星放送受信用チューナのＲＦ入力端子に入力するといった直列多段接続をする場合、後段の衛星放送受信用チューナのＲＦ入力端子に入力されるＲＦ信号の周波数によるレベル偏差が大きくなり、後段の衛星放送受信用チューナの電気的特性が悪くなることがあった。
【０００８】
本発明は、上記の問題点に鑑み、電気的特性の良好な衛星放送受信用チューナを提供することを第１の目的とする。また、複数の衛星放送受信用チューナを直列多段接続をする場合に前段の衛星放送受信用チューナとして用いると、後段の衛星放送受信用チューナの電気的特性が良好となる衛星放送受信用チューナを提供することを第２の目的とする。
【０００９】
【課題を解決するための手段】
上記第１の目的を達成するために、本発明に係る衛星放送受信用チューナにおいては、ＲＦ信号が入力されるＲＦ入力端子と、前記ＲＦ入力端子に入力されたＲＦ信号を増幅する増幅器と、前記増幅器から出力される信号のレベルを所定の周波数範囲で平坦化する平坦化回路と、前記平坦化回路から出力される信号を入力する復調部と、を備える構成とする。
【００１０】
このような構成にすることによって、所定の周波数帯域では周波数によるレベル偏差のないＲＦ信号を復調部に送ることができるので、電気的特性の劣化を防止することができる。
【００１１】
また、上記第１の目的及び上記第２の目的を達成するために、本発明に係る衛星放送受信用チューナにおいては、上記構成に加えて、前記平坦化回路と前記復調部との間に分配器を設ける構成とする。
【００１２】
このような構成にすることにより、所定の周波数帯域では周波数によるレベル偏差のないＲＦ信号を復調部に送ることができるので、電気的特性の劣化を防止することができる。
【００１３】
また、このような構成にすることにより、分配器の一方の出力を外部出力にすることができるので、所定の周波数帯域では周波数によるレベル偏差のないＲＦ信号を外部出力することができる。したがって、複数の衛星放送受信用チューナを直列多段接続をする場合に本構成の衛星放送受信用チューナを前段の衛星放送受信用チューナとして用いると後段の衛星放送受信用チューナの電気的特性の劣化を防止することができる。
【００１４】
また、上記第２の目的を達成するために、本発明に係る衛星放送受信用チューナにおいては、ＲＦ信号が入力されるＲＦ入力端子と、前記ＲＦ入力端子に入力されたＲＦ信号を増幅する増幅器と、前記増幅器から出力する信号を分配する分配器と、前記分配器から出力される第一出力信号を入力する復調部と、前記分配器から出力される第二出力信号のレベルを所定の周波数範囲で平坦化する平坦化回路と、前記平坦化回路から出力される信号を外部出力するＲＦ出力端子と、を備える構成とする。
【００１５】
このような構成にすることにより、分配器から出力される第二出力信号を外部出力することができるので、所定の周波数帯域では周波数によるレベル偏差のないＲＦ信号を外部出力することができる。したがって、複数の衛星放送受信用チューナを直列多段接続をする場合に本構成の衛星放送受信用チューナを前段の衛星放送受信用チューナとして用いると後段の衛星放送受信用チューナの電気的特性の劣化を防止することができる。
【００１６】
また、上記いずれかの構成の衛星放送受信用チューナにおいて、前記平坦化回路の利得周波数特性が可変するようにするとよい。
【００１７】
これにより、ＲＦ入力端子に入力されるＲＦ信号の周波数に対するレベル偏差が時間に対して一定でない場合にも常に平坦化回路が所定の周波数帯域では周波数によるレベル偏差のないＲＦ信号を出力することができる。
【００１８】
また、上記いずれかの構成の衛星放送受信用チューナにおいて、前記平坦化回路をバンドパスフィルタにするとよい。
【００１９】
これにより、平坦化回路を簡略な構成で実現することができ、平坦化回路の小型化・低コスト化を図ることができる。
【００２０】
【発明の実施の形態】
以下に本発明の一実施形態について図面を参照して説明する。本発明に係る衛星放送受信用チューナの一構成例を図１に示す。なお、図１において、図７と同一の部分には同一の符号を付す。図１の衛星放送受信用チューナは、図７の衛星放送受信用チューナに新たに平坦化回路５を設けた構成である。平坦化回路５は増幅器４と自動利得増幅器４との間に設けられる。平坦化回路５の入力端が増幅器４の出力端に接続され、平坦化回路５の出力端が自動利得制御器６の入力端に接続される。
【００２１】
平坦化回路５の一構成例を図２に示す。図２に示す平坦化回路は、バンドパスフィルタからなり、入力端子１０と、出力端子１１と、コンデンサ１２、１４、及び１８と、インダクタ１３及び１７と、抵抗１５及び１６とによって構成される。入力端子１０が抵抗１５及び１６を介して出力端子１１に接続される。入力端子１０と抵抗１５との共通接続点にコンデンサ１２の一端が接続され、コンデンサ１２の他端がインダクタ１３を介してコンデンサ１４の一端に接続され、コンデンサ１４の他端が抵抗１６と出力端子１１との共通接続点に接続される。また、抵抗１５と抵抗１６との共通接続点にインダクタ１７の一端及びコンデンサ１８の一端が接続され、インダクタ１７の他端及びコンデンサ１８の他端が接地される。
【００２２】
図２に示す平坦化回路の回路定数は以下のように表される。
Ｃｓ＝１／Ｑω０Ｚ０
Ｌｓ＝ＱＺ０／ω０
Ｌｐ＝Ｚ０／Ｑω０
Ｃｐ＝Ｑ／ω０Ｚ０
Ｒ＝Ｚ０
なお、コンデンサ１２及び１４の静電容量はそれぞれ２Ｃｓであり、インダクタ１３のインダクタンスはＬｓであり、インダクタ１７のインダクタンスはＬｐであり、コンデンサ１８の静電容量はＣｐであり、抵抗１５及び１６の抵抗値はそれぞれＲである。また、ω０はバンドパスフィルタの中心角周波数であり、Ｚ０は線路の特性インピーダンスであり、Ｑは選択パラメータである。
【００２３】
ここで、本発明に係る衛星放送受信用チューナにおけるＲＦ信号レベルの周波数特性を図３に示す。図３において、１９はＲＦ入力端子１に入力されるＲＦ信号レベルの周波数特性を示し、２０は増幅器４の利得周波数特性を示し、２１は増幅器４から出力されるＲＦ信号レベルの周波数特性を示し、２２は平坦化回路５の利得周波数特性を示し、２３は平坦化回路５から出力されるＲＦ信号レベルの周波数特性を示している。
【００２４】
増幅器４から出力されるＲＦ信号レベルの周波数特性２１は、ＲＦ入力端子１に入力されるＲＦ信号レベルの周波数特性１９と増幅器４の利得周波数特性２０との和である。したがって、ＲＦ入力端子１に入力されるＲＦ信号の周波数によるレベル偏差に増幅器４の利得の周波数による偏差が重畳したものが、増幅器４から出力されるＲＦ信号の周波数によるレベル偏差となる。
【００２５】
平坦化回路５はバンドパスフィルタであるので、その利得周波数特性２２は図３に示すように凸型曲線となる。そして、平坦化回路５が、増幅器４から出力されるＲＦ信号を入力して、所定の周波数帯域ＦＢでは周波数によるレベル偏差のないＲＦ信号を出力できるように、すなわち平坦化回路５から出力されるＲＦ信号レベルの周波数特性２３が図３に示すように所定の周波数帯域ＦＢにおいて平坦になるように、選択パラメータＱ等の回路定数を設定する。これにより、所定の周波数帯域ＦＢでは周波数によるレベル偏差のないＲＦ信号をＩ／Ｑ直交検波器７に送ることができ、電気的特性の劣化を防止することができる。
【００２６】
次に、本発明に係る衛星放送受信用チューナの他の構成例を図４に示す。なお、図４において図１と同一の部分には同一の符号を付し説明を省略する。図４の衛星放送受信用チューナは、図１の衛星放送受信用チューナに新たにＲＦ分配器２４と、コンデンサ２５と、ＲＦ出力端子２６とを設けた構成である。ＲＦ分配機２４は、平坦化回路５と自動利得増幅制御器６との間に設けられる。ＲＦ分配器２４の入力端は平坦化回路５の出力端に接続され、ＲＦ分配器２４の一方の出力端は自動利得制御器６の入力端に接続される。そして、ＲＦ分配器２４の他方の出力端は、コンデンサ２５を介してＲＦ出力端子２６に接続される。
【００２７】
ＲＦ入力端子１に入力されたＲＦ信号は、コンデンサ２を経由して、ハイパスフィルタ３で帯域制限され、増幅器４で増幅される。ＲＦ入力端子１に入力される信号は周波数によるレベル偏差が有り、増幅器４の利得は周波数による偏差があるので、増幅器４から出力されるＲＦ信号は周波数によるレベル偏差が大きい信号となる。
【００２８】
この増幅器４から出力されるＲＦ信号が、平坦化回路５に入力される。平坦化回路５は、周波数によるレベル偏差の有るＲＦ信号を入力して、所定の周波数帯域ＦＢ（図３参照）では周波数によるレベル偏差のないＲＦ信号を出力する。そして、所定の周波数帯域ＦＢでは周波数によるレベル偏差のないＲＦ信号はＲＦ分配器２４によって２分配され、一方は自動利得制御器６でレベル調整されたのちにＩ／Ｑ直交検波器７によって互いに９０度の位相差を持つＩベースバンド信号とＱベースバンド信号とに変換され、他方はコンデンサ２５を経由してＲＦ出力端子２６に送出される。
【００２９】
これにより、所定の周波数帯域ＦＢでは周波数によるレベル偏差のないＲＦ信号をＩ／Ｑ直交検波器７に送出することができるとともに、所定の周波数帯域ＦＢでは周波数によるレベル偏差のないＲＦ信号をＲＦ出力端子２６に出力することができる。したがって、図４の衛星放送受信用チューナは電気的特性の劣化を防止することができる。また、複数の衛星放送受信用チューナを直列多段接続をする場合に図４の衛星放送受信用チューナを前段の衛星放送受信用チューナとして用いると後段の衛星放送受信用チューナの電気的特性の劣化を防止することができる。
【００３０】
次に、本発明に係る衛星放送受信用チューナの更に他の構成例を図５に示す。なお、図５において図４と同一の部分には同一の符号を付し説明を省略する。図５の衛星放送受信用チューナは、図４の衛星放送受信用チューナにおいて増幅器４とＲＦ分配機２４との間に設けられていた平坦化回路５を、ＲＦ分配器２４とコンデンサ２５との間に設けるようにした構成である。すなわち、ＲＦ分配器２４の入力端は増幅器４の出力端に接続され、ＲＦ分配器２４の一方の出力端は自動利得制御器６の入力端に接続され、ＲＦ分配器２４の他方の出力端は平坦化回路５の入力端に接続され、平坦化回路５の出力端はコンデンサ２５を介してＲＦ出力端子２６に接続される。
【００３１】
ＲＦ入力端子１に入力されたＲＦ信号は、コンデンサ２を経由して、ハイパスフィルタ３で帯域制限され、増幅器４で増幅される。ＲＦ入力端子１に入力される信号は周波数によるレベル偏差が有り、増幅器４の利得は周波数による偏差があるので、増幅器４から出力されるＲＦ信号は周波数によるレベル偏差が大きい信号となる。
【００３２】
この増幅器４から出力されるＲＦ信号が、ＲＦ分配器２４によって２分配され、一方は自動利得制御器６でレベル調整されたのちにＩ／Ｑ直交検波器７によって互いに９０度の位相差を持つＩベースバンド信号とＱベースバンド信号とに変換され、他方は平坦化回路５によって所定の周波数帯域ＦＢ（図３参照）では周波数によるレベル偏差のないＲＦ信号に変換された後コンデンサ２５を経由してＲＦ出力端子２６に送出される。
【００３３】
これにより、所定の周波数帯域ＦＢでは周波数によるレベル偏差のないＲＦ信号をＲＦ出力端子２６に出力することができる。したがって、複数の衛星放送受信用チューナを直列多段接続をする場合に図５の衛星放送受信用チューナを前段の衛星放送受信用チューナとして用いると後段の衛星放送受信用チューナの電気的特性の劣化を防止することができる。
【００３４】
図１、図４、及び図５の衛星放送受信用チューナが具備する平坦化回路５を図６に示す構成の平坦化回路にしてもよい。なお、図６において図３と同一の部分には同一の符号を付し説明を省略する。
【００３５】
図６の平坦化回路は、図３の平坦化回路においてコンデンサ１２の代わりにコンデンサ１２’と可変容量ダイオード２８とコンデンサ１２’’とを順に直列接続して成る直列回路を設け、コンデンサ１４の代わりにコンデンサ１４’と可変容量ダイオード３２とコンデンサ１４’’とを順に直列接続して成る直列回路を設け、更に可変容量ダイオード２８のアノードを抵抗２７を介して接地し、可変容量ダイオード２８のカソードを抵抗２９を介して電圧印加端子３０に接続し、可変容量ダイオード３２のアノードを抵抗３３を介して接地し、可変容量ダイオード３２のカソードを抵抗３１を介して電圧印加端子３０に接続する。
【００３６】
電圧印加端子３０に印加する電圧値が可変することで、可変容量ダイオード２８及び３２の容量が可変するので、バンドパスフィルタである図６の平坦化回路の利得周波数特性を変化させることができる。これにより、ＲＦ入力端子１に入力されるＲＦ信号の周波数に対するレベル偏差が時間に対して一定でない場合にも常に図６の平坦化回路が所定の周波数帯域ＦＢでは周波数によるレベル偏差のないＲＦ信号を出力することができる。
【００３７】
また、Ｉ／Ｑ直交検波器７に入力されるＲＦ信号のレベル又は平坦化回路５に入力されるＲＦ信号のレベルを所定の周波数帯域ＦＢの上限と下限において検知する信号レベル検知回路と、該信号レベル検知回路の検知結果を入力しその検知結果に応じて平坦化回路５から出力される信号の所定の周波数帯域ＦＢでの周波数によるレベル偏差をなくすように電圧印加端子３０に供給する電圧の値を制御する制御回路と、を設けるとよい。このようなシステムを組むことにより、ＲＦ入力端子１に入力されるＲＦ信号の周波数に対するレベル偏差が時間に対して一定でない場合にも自動的に図６の平坦化回路が所定の周波数帯域ＦＢでは周波数によるレベル偏差のないＲＦ信号を出力することができる。
【００３８】
【発明の効果】
本発明によると、電気的特性の良好な衛星放送受信用チューナを実現することができる。
【００３９】
また、本発明によると、複数の衛星放送受信用チューナを直列多段接続をする場合に前段の衛星放送受信用チューナとして用いると、後段の衛星放送受信用チューナの電気的特性が良好となる衛星放送受信用チューナを実現することができる。
【図面の簡単な説明】
【図１】本発明に係る衛星放送受信用チューナの一構成例を示す図である。
【図２】本発明に係る衛星放送受信用チューナが具備する平坦化回路の一構成例を示す図である。
【図３】ＲＦ信号レベルの周波数特性を示す図である。
【図４】本発明に係る衛星放送受信用チューナの他の構成例を示す図である。
【図５】本発明に係る衛星放送受信用チューナの更に他の構成例を示す図である。
【図６】本発明に係る衛星放送受信用チューナが具備する平坦化回路の他の構成例を示す図である。
【図７】従来の衛星放送受信用チューナの一構成例を示す図である。
【符号の説明】
１  ＲＦ入力端子
４  増幅器
５  平坦化回路
７  Ｉ／Ｑ直交検波器
２４  ＲＦ分配器
２６  ＲＦ出力端子
１０  入力端子
１１  出力端子
１２、１４、１８、１２’、１２’’、１２’’、１２’’  コンデンサ
１３、１７  インダクタ
１５、１６、２７、２９、３１、３３  抵抗
２８、３２  可変容量ダイオード
【図１】
2004236046.tif 000003
【図２】
2004236046.tif 000004
【図３】
2004236046.tif 000005
【図４】
2004236046.tif 000006
【図５】
2004236046.tif 000007
【図６】
2004236046.tif 000008
【図７】
2004236046.tif 000009